(57)【要約】      （修正有）【課題】機器本体からディスプレイ機能（表示機能）だけを容易に取替え出来るディスプレイを実現する。【解決手段】表示素子が形成された表示セル部と、表示素子を駆動する駆動ＩＣと、機器本体の電気回路との接続を可能にする為の取り外しできる電気接続部とを一体の表示部としてフレキシブル基板上に形成し、機器本体から表示部を取り外し可能にし、表示部の性能が劣化すれば機器本体は替えずに、表示部だけ取り替え可能にした。【選択図】図２
0003109337.tif 000002
【実用新案登録請求の範囲】
【請求項１】
液晶、有機ＥＬなどの表示素子を用いた表示装置において、
前記表示素子をマトリックス状や、セグメント状に形成した表示セルと、
前記表示セル上の素子を駆動する為の表示駆動部と、
前記、表示セル上に表示するデータや表示制御信号、電力等を外部電気回路から該表示駆動部に取り込むための電気接続部を有し、
少なくとも前記表示セルと表示駆動部、電気接続部を基板上に一体化し表示部として形成し、
該表示部を外部電気回路から取り外し可能にした、
取り替え可能な表示装置。
【考案の詳細な説明】
【技術分野】
【０００１】液晶表示装置や有機ＥＬ表示装置など平面型表示装置に関する。
【背景技術】
【０００２】すでに液晶表示装置や有機ＥＬの表示装置は、その低電圧駆動、低消費電力、コンパクト性が優れた平面型ディスプレイ（表示装置）として優位性を遺憾なく発揮し、様々な分野に応用されている。
【考案の開示】
【考案が解決しようとする課題】
【０００３】従来、ディスプレイを搭載した機器は、ディスプレイの寿命が来ると、それが搭載されている機器本体も一緒に役割を終えて破棄されてきた。
これではディスプレイの寿命が他の要素よりも短い場合、資源の無駄使いである。また、寿命の短いディスプレイ要素は優れた表示特性を有していてもコストが高くなり実用化されず埋もれてしまう。
本考案は機器本体からディスプレイ機能（表示機能）だけを容易に取替え出来るディスプレイを実現し、前記の問題を解消するものである。【０００４】また、液晶には表示のメモリー性のあるものがあり、ＰＣなどの情報を書き込む装置で書き込んだ情報を、書き込み装置から切り離して表示することが出来る。
そのためには表示装置の切り離し構造を実現しなければならない。
【課題を解決するための手段】
【０００５】図１は  本考案の概略図である。
表示部４は、少なくとも、
外部回路機能と接続するための電気的接続を担う、信号用の接続端子群、電力を供給する為の電源用端子等を設けた取り外し可能な電気接続部３と、液晶や有機ＥＬを封じたディスプレイの表示エリア５と、外部回路から送られてきた表示用データを各表示画素に割り当てて、その画素を表示駆動する機能を担う駆動ＩＣ２を、プラスティックの基板、または硝子、スティールの基板の上に形成している。
外部回路とディスプレイ部の接続は、取り外しによる信頼性を考慮すると接続本数は少ないほどよい。
【考案の効果】
【０００６】本考案の置き換え可能なディスプレイによって、寿命を問題視されてきた有機ＥＬの商品化が可能となった。これにより表示特性の優れた有機ＥＬディスプレイが本格的なディスプレイとして市場で認知される。
また、ＬＣＤにおいも、取り外しを可能にすることでメモリー機能を持つ液晶を用いて、自由に書き換えが可能な、安価な掲示板を作ることが出来る。
【考案を実施する為の最良の形態】
【０００７】図２、図３は本考案の表示装置の平面図と断面図である。
取り替え可能なディスプレイは表示部４のコストが本体に比較して、十分安くなければ意味がない。
そのためには、表示部４の構造をシンプルにし、外部との電気的な接続数を減らすことが重要である。
表示部のコストを下げるには、ＴＦＴなどを用いるアクティブ駆動でなく、単純マトリックスのパッシブク駆動が有効である。
一方、外部回路との接続数を減らすためには、出来ればディスプレイの駆動ＩＣを表示部側に搭載する必要がある。
また、取り外し動作がユーザーにとって安全であるためには、ディスプレイが形成されている基板は硝子でなく、プラスティックなどの割れにくく、柔軟な材料のものが良い。
前記の要望を実施する最良の形態は図２、図３に示す形態である。
【０００８】表示部の基板はプラスティクなどのフレキシブル基板７を用いる。
その上に各画素を独立して駆動する為の画素電極１２や信号、電力を送る為の配線６１，６２を形成する。
図２，３の場合、パッシブマトリックスセルの場合の説明である。該方式では、各画素は上下の電極用配線の交差部が画素になる。
有機ＥＬや液晶の表示素子を蒸着や塗布、真空注入などで形成し、表示セル１０を形成する。
一方、前記画素を駆動する為の駆動ＩＣ２を前記プラスティック基板上７で各配線と接続させるように実装する。
また，前記基板に外部回路とディスプレイ駆動に必要な電気的接続を確保する為の、電気接続部３を形成する。
この端子部は、外部との接続性を強固にする為に接続孔１構造の接続構造が良い。
特に有機ＥＬが表示素子の場合は、前記表示セル１０の外部に透明性で水分の透過を防ぐ材料を透明カバー９としてコートする。
【実施例】
【０００９】図２、３ではパッシブ駆動の１６０ｘ１２０画素の有機ＥＬの場合を説明している。
７はディスプレイ基板で、置き替え用にはプラスティック基板が適当である。ＰＥＳやエポキシ他の素材を用いる。
１０は有機ＥＬセル部である。
アノード電極は光の透過側をＩＴＯなどの透明電極で形成し、カソード対極はＢａ，Ｌｉなどの活性金属を用いている。各画素はマトリックス状に形成されたアノード電極とカソード電極の交差部に形成されている。
発光材料は低分子の物でも高分子の物でも良い。【００１０】前記有機ＥＬ表示装置では表示セルの端部を封止材８でシールされ表示素子１０とされる。透明電極の上は透明なオーバーコート剤をコーティングして、透明カバー９とし、外部からの水分や、ガスの侵入を防止している。
２１，２２は有機ＥＬマトリックスをディスプレイとして駆動させるためのドライバーＩＣである。プラスティック基板の上にＣＯＦの技術で実装されている。
取り外し部はできるだけコストを下げる為、その駆動ＩＣの使い方が重要である。【００１１】３は外部の機能回路と接続するためのコネクター部である。接続のポジショニングを確実にするために、ここでは接続孔１を用いたコネクターを用いている。
それぞれの端子は電源ＶＰ，グランドＧ，タイミング信号Ｔ，それぞれの画素データ信号Ｖｓ、、用が設定されている。【００１２】図６、図７は本考案を用いたディジタルスティルカメラの平面図と断面図である。
３２は取替え可能なディスプレイを固定するためのカバー部であり、内部に電気的接続の接続コネクター部３５が設けられている。この部分を開閉して、ディスプレイ部の取り外し、取り付けを行う。３１の操作スイッチでカメラを操作する。
３３はストッパーで、ディスプレイの取り付け維持を担っている。
３４はカメラの撮像レンズである。３０はカメラ本体である。ユーザーは使用しているディスプレイの特性が落ちてくれば、店で表示部４だけを購入して古い表示部と取り替えて同じカメラを使用することが出来る。【００１３】図４、図５はＴＦＴアクティブ方式のディスプレイの場合の平面図、断面図である。１１はＴＦＴである。表示部４にデータ−ドライバー２３、コモンドライバー２４を実装している。１２は各画素電極である。ＴＦＴは基板７上に形成されている。基板はスティールかプラスティックが良い。硝子でも可能である。
パッシブの時と同様に表示セル１０の上には水分などの侵入を防ぐ為の透明カバー９が形成されている。
基本的には本考案は安いコストのディスプレイを想定しているが、アクティブ方式のディスプレイでも本考案を用いることで、機能が低下したＰＣのディスプレイだけを新しいのと交換することが出来る。【００１４】  本考案は  ディスプレイとして有機ＥＬだけでなく、ＬＣＤでも同じように使用できる。
特に、メモリー性のあるコレステリックな液晶を用いれば取り外して、掲示板とし書き換え可能な表示板を作ることが出来る。
【産業上の利用可能性】
【００１５】  本考案はディジタルスティルカメラや、ビデオビューアー、さらにはＰＣに取り替え可能なディスプレイを提供し、従来使用が難しかった有機ＥＬなどの表示素子を容易に利用できるようにし、その産業上、文化上の貢献は非常に高い。
【図面の簡単な説明】
【図１】本考案の概略図  １は接続用孔、２は  駆動ＩＣ、４は表示部、５は表示セルである。
【図２】本考案のパッシブ駆動表示装置の平面図  ２１、２２は駆動ＩＣ、７はフレキシブル基板である。
【図３】本考案のパッシブ駆動表示装置の断面図  ８は封止材、１０は表示セルである。
【図４】本考案のアクティブ駆動表示装置の平面図  １１はＴＦＴ、２３はデータドライバーＩＣ，１２は画素、２４はコモンドライバーＩＣ、１２は画素電極である。
【図５】本考案のアクティブ駆動表示装置の断面図
【図６】本考案応用商品の正面図  ３２は取り替え用開閉カバー、３０はディジタルカメラ本体、３３はディスプレイストッパーである。
【図７】本考案応用商品の断面図  ３４は撮像用レンズである。
【図１】
0003109337.tif 000003
【図２】
0003109337.tif 000004
【図３】
0003109337.tif 000005
【図４】
0003109337.tif 000006
【図５】
0003109337.tif 000007
【図６】
0003109337.tif 000008
【図７】
0003109337.tif 000009